(57)【要約】流体処理システムを選択する選択システム（１００）はインターフェース（１０１、１０３）及び処理システム（１０２）からなる。処理システム（１０２）は、ユーザ・プロンプトを示す第１信号を転送するようにインターフェース（１０１、１０３）に指示する。インターフェース（１０１、１０３）は、ユーザ・プロンプトに応答して提供されたユーザ入力を表す第２信号を受け取る。このユーザ入力は流体処理情報を示す。処理システム（１０２）は流体処理情報を処理し、流体処理システムのうちの第１のシステムを選択する。処理システム（１０２）は、流体処理システムのうちの第１のシステムの第１性能・仕様情報を取得する。処理システム（１０２）は、流体処理システムのうちの第１のシステムの第１性能・仕様情報を示す第３信号を転送するようにインターフェース（１０１、１０３）に指示する。
2005519398.tif 000002
【特許請求の範囲】
【請求項１】
流体処理システムを選択する選択システム（１００）であって、インターフェース（１０１、１０３）及び処理システム（１０２）を備え、前記インターフェース（１０１、１０３）がユーザ・プロンプトを示す第１信号を転送して、該ユーザ・プロンプトに応答して提供されるユーザ入力を示す第２信号を受け取るように構成され、前記ユーザ入力が流体処理情報を表し、前記処理システム（１０２）が前記第１信号を転送するように前記インターフェース（１０１、１０３）に指示する選択システム（１００）において、
前記処理システム（１０２）が、前記流体処理情報を処理して前記流体処理システムのうちの第１のシステムを選択し、前記流体処理システムのうちの前記第１のシステムの第１性能・仕様情報を取得し、且つ、前記インターフェース（１０１、１０３）に指示して第３信号を転送させるように構成され、
前記インターフェース（１０１、１０３）が、前記流体処理システムの前記第１のシステムの前記第１性能・仕様情報を示す前記第３信号を転送するように構成される、
ことを特徴とする選択システム（１００）。
【請求項２】
前記処理システム（１０２）が、前記流体処理情報を処理して前記流体処理システムのうちの第２のシステムを選択し、前記流体処理システムのうちの前記第２のシステムの第２性能・仕様情報を取得するように構成され、
前記第３信号が、前記流体処理システムのうちの前記第２のシステムの前記第２性能・仕様情報を表す、
請求項１に記載の選択システム（１００）。
【請求項３】
前記第３信号が、前記第１性能・仕様情報と前記第２性能・仕様情報とを並べた表示を指示して、前記流体処理システムのうちの前記第１のシステムと前記流体処理システムのうちの前記第２のシステムとの間の性能比較を提供するように構成される、請求項２に記載の選択システム（１００）。
【請求項４】
前記インターフェース（１０１、１０３）が、前記流体処理システムのうちの前記第１のシステムを構成するためのユーザ要求を示す第４信号を受け取り、前記流体処理システムのうちの前記第１のシステムの構成パラメータ・オプションを示す第５信号を転送し、前記流体処理システムのうちの前記第１のシステムの構成パラメータ選択を示す第６信号を受け取るように構成され、
前記処理システム（１０２）が、前記ユーザ要求を処理して、前記第５信号を転送するように前記インターフェース（１０１、１０３）に指示するように構成される、
請求項２に記載の選択システム（１００）。
【請求項５】
前記インターフェース（１０１、１０３）が、前記流体測定システムのうちの前記第１のシステムの前記構成パラメータ選択のうちの互換性のないものを示す第７信号を転送するように構成され、
前記処理システム（１０２）が、前記構成パラメータ選択を処理し、前記流体測定システムのうちの前記第１のシステムの前記構成パラメータ選択のうちの前記互換性のないものを決定し、且つ、前記第７信号を転送するように前記インターフェース（１０１、１０３）に指示するように構成される、
請求項４に記載の選択システム（１００）。
【請求項６】
前記構成パラメータ・オプションが、産業界の認可及び処理接続を含む、請求項４に記載の選択システム（１００）。
【請求項７】
前記構成パラメータ・オプションが、タグ・ラベル、測定変数及び測定変数の測定単位を含む、請求項４に記載の選択システム（１００）。
【請求項８】
前記流体処理情報が、流体、流量、圧力及び温度のデータを示す、請求項１に記載の選択システム（１００）。
【請求項９】
前記第３信号が、前記第１性能・仕様情報と流体、流量、圧力及び温度の前記データとを並べた表示を指示し、前記流体処理システムのうちの前記第１のシステムと流体、流量、圧力及び温度の前記データとの間の比較を提供するように構成される、請求項８に記載の選択システム（１００）。
【請求項１０】
前記処理システム（１０２）が、流体、流量、圧力及び温度の前記データに基づいて、前記流体処理システムのうちの前記第１のシステムの互換性等級を決定するように構成され、
前記第３信号が前記互換性等級を示す、
請求項８に記載の選択システム（１００）。
【請求項１１】
前記処理情報が、処理流体、最大流量、最大処理圧力及び最高温度を示す、請求項１に記載の選択システム（１００）。
【請求項１２】
前記処理情報が、測定変数、測定精度及び通信プロトコルを示す、請求項１に記載の選択システム（１００）。
【請求項１３】
前記処理情報が第１流体処理構成要素を示し、
前記流体処理システムのうちの前記選択されたシステムが、前記第１流体処理構成要素と少なくとも第２流体処理構成要素とを含む、
請求項１に記載の選択システム（１００）。
【請求項１４】
前記第１流体処理構成要素及び前記第２流体処理構成要素が、センサ及び送信機を含む、請求項１３に記載の選択システム（１００）。
【請求項１５】
前記第１流体処理構成要素及び前記第２流体処理構成要素が、アクチュエータ及び弁を含む、請求項１３に記載の選択システム（１００）。
【請求項１６】
前記第１性能・仕様情報が、センサ型式番号及び送信機型式番号を示す、請求項１に記載の選択システム（１００）。
【請求項１７】
前記第１性能・仕様情報が、弁型式番号及びアクチュエータ型式番号を示す、請求項１に記載の選択システム（１００）。
【請求項１８】
前記第１性能・仕様情報が、前記流体処理システムの前記第１のシステムのイメージを示す、請求項１に記載の選択システム（１００）。
【請求項１９】
前記インターフェース（１０１、１０３）が、ウェブサイト・インターネット・インターフェースを含む、請求項１に記載の選択システム（１００）。
【請求項２０】
前記インターフェース（１０１、１０３）が、コンピュータ・システム・ユーザ・インターフェースを含む、請求項１に記載の選択システム（１００）。
【請求項２１】
流体処理システムを選択する選択システム（１００）を動作させる方法であって、ユーザ・プロンプトを示す第１信号を転送するステップと、前記ユーザ・プロンプトに応答して提供されるユーザ入力を示す第２信号を受け取るステップとを含み、前記ユーザ入力が流体処理情報を示す方法において、
前記流体処理情報を処理して、前記流体処理システムのうちの第１のシステムを選択するステップと、
前記流体処理システムのうちの前記第１のシステムの第１性能・仕様情報を取得するステップと、
前記流体処理システムのうちの前記第１のシステムの前記第１性能・仕様情報を示す第３信号を転送するステップと、
によって特徴付けられる方法。
【請求項２２】
前記流体処理情報を処理して、前記流体処理システムのうちの第２のシステムを選択するステップと、
前記流体処理システムのうちの前記第２のシステムの第２性能・仕様情報を取得するステップであって、前記第３信号が、前記流体処理システムのうちの前記第２のシステムの前記第２性能・仕様情報を示すステップと、
を更に含む、請求項２１に記載の方法。
【請求項２３】
前記第３信号が、前記第１性能・仕様情報と前記第２性能・仕様情報とを並べた表示を指示し、前記流体処理システムのうちの前記第１のシステムと前記流体処理システムのうちの前記第２のシステムとの間の性能比較を提供するように構成される、請求項２２に記載の方法。
【請求項２４】
前記流体処理システムのうちの前記第１のシステムを構成するためのユーザ要求を示す第４信号を受け取るステップと、
前記ユーザ要求を処理し、それに応答して、前記流体処理システムのうちの前記第１のシステムの構成パラメータ・オプションを示す第５信号を転送するステップと、
前記流体処理システムのうちの前記第１のシステムの構成パラメータ選択を示す第６信号を受け取るステップと、
を更に含む、請求項２１に記載の方法。
【請求項２５】
前記構成パラメータ選択を処理し、前記流体測定システムのうちの前記第１のシステムの前記構成パラメータ選択のうちの互換性のないものを決定するステップと、
前記流体測定システムのうちの前記第１のシステムの前記構成パラメータ選択のうちの前記互換性のないものを示す第７信号を転送するステップと、
を更に含む、請求項２４に記載の方法。
【請求項２６】
前記構成パラメータ・オプションが、産業界の認可及び処理接続を含む、請求項２４に記載の方法。
【請求項２７】
前記構成パラメータ・オプションが、タグ・ラベル、測定変数及び測定変数の測定単位を含む、請求項２４に記載の方法。
【請求項２８】
前記流体処理情報が、流体、流量、圧力及び温度のデータを示す、請求項２１に記載の方法。
【請求項２９】
前記第３信号が、前記第１性能・仕様情報と流体、流量、圧力及び温度の前記データとを並べた表示を指示して、前記流体処理システムのうちの前記第１のシステムと、流体、流量、圧力及び温度の前記データとの間の比較を提供するように構成される、請求項２８に記載の方法。
【請求項３０】
前記処理システム（１０２）が、流体、流量、圧力及び温度の前記データに基づいて、前記流体処理システムのうちの前記第１のシステムの互換性等級を決定するように構成され、
前記第３信号が前記互換性等級を示す、
請求項２８に記載の方法。
【請求項３１】
前記処理情報が、処理流体、最大流量、最大処理圧力及び最高温度を示す、請求項２１に記載の方法。
【請求項３２】
前記処理情報が、測定変数、測定精度及び通信プロトコルを示す、請求項２１に記載の方法。
【請求項３３】
前記処理情報が第１流体処理構成要素を示し、
前記流体処理システムのうちの前記選択されたシステムが、前記第１流体処理構成要素及び少なくとも第２流体処理構成要素を含む、
請求項２１に記載の方法。
【請求項３４】
前記第１流体処理構成要素及び前記第２流体処理構成要素が、センサ及び送信機を含む、請求項３３に記載の方法。
【請求項３５】
前記第１流体処理構成要素及び前記第２流体処理構成要素が、アクチュエータ及び弁を含む、請求項３３に記載の方法。
【請求項３６】
前記第１性能・仕様情報が、センサ型式番号及び送信機型式番号を示す、請求項２１に記載の方法。
【請求項３７】
前記第１性能・仕様情報が、弁型式番号及びアクチュエータ型式番号を示す、請求項２１に記載の方法。
【請求項３８】
前記第１性能・仕様情報が、前記流体処理システムのうちの前記第１のシステムのイメージを示す、請求項２１に記載の方法。
【請求項３９】
前記選択システム（１００）が、インターネット・ウェブサイトを含む、請求項２１に記載の方法。
【請求項４０】
前記選択システム（１００）が、ユーザ・コンピュータ・システムを含む、請求項２１に記載の方法。
【請求項４１】
流体処理システムを選択するための製品であって、ソフトウェア（１０５）と該ソフトウェア（１０５）を格納する記憶システム（１０４）とを備えてなり、前記ソフトウェア（１０５）が、処理システム（１０２）に指示して、ユーザ・プロンプトを示す第１信号を転送するようにインターフェース（１０１、１０３）に指示するように構成され、前記インターフェース（１０１、１０３）が、前記ユーザ・プロンプトに応答して提供されるユーザ入力を示す第２信号を受け取り、前記ユーザ入力が流体処理情報を示す製品において、
前記ソフトウェア（１０５）が、前記処理システム（１０２）に指示して、
前記流体処理情報を処理して前記流体処理システムのうちの第１のシステムを選択させ、
前記流体処理システムのうちの前記第１のシステムの第１性能・仕様情報を取得させ、  前記インターフェース（１０１、１０３）に指示して、前記流体処理システムのうちの前記第１のシステムの前記第１性能・仕様情報を示す第３信号を転送させる、
ように構成される、
ことを特徴とする製品。
【請求項４２】
前記ソフトウェア（１０５）が、前記処理システム（１０２）に指示して、前記流体処理情報を処理して前記流体処理システムのうちの第２のシステムを選択させて、前記流体処理システムのうちの前記第２のシステムの第２性能・仕様情報を取得させるように構成され、
前記第３信号が、前記流体処理システムのうちの前記第２のシステムの前記第２性能・仕様情報を示す、
請求項４１に記載の製品。
【請求項４３】
前記第３信号が、前記第１性能・仕様情報と前記第２性能・仕様情報とを並べた表示を指示して、前記流体処理システムのうちの前記第１のシステムと前記流体処理システムのうちの前記第２のシステムとの間の性能比較を提供するように構成される、請求項４２に記載の製品。
【請求項４４】
前記インターフェース（１０１、１０３）が、前記流体処理システムのうちの前記第１のシステムを構成するためのユーザ要求を示す第４信号を受け取り、
前記ソフトウェア（１０５）が、前記処理システム（１０２）に指示して前記ユーザ要求を処理させ、前記インターフェース（１０１、１０３）に、前記流体処理システムのうちの前記第１のシステムの構成パラメータ・オプションを示す第５信号を転送するようにに指示するように構成され、
前記インターフェース（１０１、１０３）が、前記流体処理システムのうちの前記第１のシステムの構成パラメータ選択を示す第６信号を受け取る、
請求項４１に記載の製品。
【請求項４５】
前記ソフトウェア（１０５）が、前記処理システム（１０２）に指示して、
前記流体測定システムのうちの前記第１のシステムの前記構成パラメータ選択のうちの互換性のないものを決定するよう前記構成パラメータ選択を処理させ、
前記インターフェース（１０１、１０３）に指示して、前記流体測定システムのうちの前記第１のシステムの前記構成パラメータ選択のうちの前記互換性のないものを示す第７信号を転送させる、
ように構成される、請求項４４に記載の製品。
【請求項４６】
前記構成パラメータ・オプションが、産業界の認可及び処理接続を含む、請求項４４に記載の製品。
【請求項４７】
前記構成パラメータ・オプションが、タグ・ラベル、測定変数及び測定変数の測定単位を含む、請求項４４に記載の製品。
【請求項４８】
前記流体処理情報が、流体、流量、圧力及び温度のデータを示す、請求項４１に記載の製品。
【請求項４９】
前記第３信号が、前記第１性能・仕様情報と流体、流量、圧力及び温度の前記データとを並べた表示を指示して、前記流体処理システムの前記第１の１つと、流体、流量、圧力及び温度の前記データとの間の比較を提供するように構成される、請求項４８に記載の製品。
【請求項５０】
前記ソフトウェア（１０５）が、前記処理システム（１０２）に指示して、流体、流量、圧力及び温度の前記データに基づいて、前記流体処理システムのうちの前記第１のシステムの互換性等級を決定させるように構成され、
前記第３信号が前記互換性等級を示す、
請求項４８に記載の製品。
【請求項５１】
前記処理情報が、処理流体、最大流量、最大処理圧力及び最高温度を示す、請求項４１に記載の製品。
【請求項５２】
前記処理情報が、測定変数、測定精度及び通信プロトコルを示す、請求項４１に記載の製品。
【請求項５３】
前記処理情報が第１流体処理構成要素を示し、
前記流体処理システムのうちの前記選択されたシステムが、前記第１流体処理構成要素及び少なくとも第２流体処理構成要素を含む、
請求項４１に記載の製品。
【請求項５４】
前記第１流体処理構成要素及び前記第２流体処理構成要素が、センサ及び送信機を含む、請求項５３に記載の製品。
【請求項５５】
前記第１流体処理構成要素及び前記第２流体処理構成要素が、アクチュエータ及び弁を含む、請求項５３に記載の製品。
【請求項５６】
前記第１性能・仕様情報が、センサ型式番号及び送信機型式番号を示す、請求項４１に記載の製品。
【請求項５７】
前記第１性能・仕様情報が、弁型式番号及びアクチュエータ型式番号を示す、請求項４１に記載の製品。
【請求項５８】
前記第１性能・仕様情報が、前記流体処理システムのうちの前記第１のシステムのイメージを示す、請求項４１に記載の製品。
【請求項５９】
前記インターフェース（１０１、１０３）が、ウェブサイト・インターネット・インターフェースを含む、請求項４１に記載の製品。
【請求項６０】
前記インターフェース（１０１、１０３）が、コンピュータ・システム・ユーザ・インターフェースを含む、請求項４１に記載の製品。
【発明の詳細な説明】
【技術分野】
【０００１】
本願は、２００２年３月１日に出願された「製品選択のためのウェブサイト・アーキテクチャ及び顧客インターフェース」という名称の米国出願第６０／３６１７６７号の優先権の利益を主張し、同出願は本願に参照として援用される。
【０００２】
本発明は、流体処理システムの分野に関し、具体的には、ユーザのための流体処理システムの選択に関する。
【背景技術】
【０００３】
流体処理システムは、産業界によって、流体、スラリ及び気体の処理に使用されている。流体処理システムは、流れ、圧力、温度、密度、レベル、弁位置及び他のパラメータを測定し、制御するシステムである。流体処理システムの例には、流量計及び制御弁が含まれる。
【０００４】
流体処理システムは流体処理構成要素からなる。流体処理構成要素の例はセンサ、送信機、アクチュエータ及び弁である。例えば、流量計は、センサ構成要素及び送信機構成要素からなる流体処理システムである。同様に、制御弁は、アクチュエータ構成要素及び弁構成要素からなる流体処理システムである。多数の他の流体処理システム及び流体処理構成要素が既知である。
【０００５】
供給業者は、ユーザが流体処理システムを購入できるようにするインターネット・ウェブサイトを導入しつつある。ウェブサイトから流体処理システムを購入するために、ユーザは、まず、所望の流体処理システムを構成する個々の構成要素を選択する。例えば、ユーザは、流量計を構成するセンサ構成要素及び送信機構成要素を選択することができる。ユーザは、個々の流体処理構成要素を選択して組み合わせることによって流体処理システムを選択する。残念ながら、ユーザは、互換性のない形で流体処理構成要素を組み合わせる場合があるので、互換性のなさを修正するための複数の選択反復を行うことになる。概して、現在の選択処理は余りに苛立たしく、時間がかかりすぎる。
【０００６】
流体処理構成要素は、型式番号、温度定格及びサイズなど、それ自体の性能・仕様情報を有する。残念ながら、ユーザは、個々の構成要素の情報を照合して、結果としての流体処理システムの性能を査定しなければならない。例えば、ユーザは、センサ及び送信機に関する個々の構成要素情報を照合して流量計の性能を査定しなければならない。この複雑な作業は、問題の流体処理に適する様々なシステムを比較する潜在的な必要によって、更に複雑になる。ユーザは、複数の流体処理システムのシステム・レベルまで構成要素情報を照合しなければならない。やはり、現在の選択処理は、特に十分な技術的訓練に欠けているユーザにとって、余りに苛立たしく、時間がかかりすぎる。
【０００７】
発明の概要
本発明は、流体処理システムを選択する新しい技術を用いて、上記の問題を解決するのを助ける。有利なことに、この新しい技術は、流体処理システムを選択するために各流体処理構成要素を選択することをユーザに強制しない。有利なことに、この新しい技術は、システム・レベル性能を査定するために構成要素情報を照合することをユーザに強制しない。したがって、この新しい技術は、流体処理システムを選択するユーザの苛立ちを解消し、流体処理システムを選択するのに必要な時間を短縮することができる。この新しい技術は、流体処理システムを選択するユーザに要求される技術的訓練を減らすこともできる。
【０００８】
本発明の態様は、流体処理システムを選択するために選択システムを動作させる方法を含む。この方法は、ユーザ・プロンプトを示す第１信号を転送するステップと、前記ユーザ・プロンプトに応答して提供されるユーザ入力を示す第２信号を受け取るステップと、前記流体処理システムのうちの第１のシステムを選択するために前記流体処理情報を処理するステップと、前記流体処理システムのうちの前記第１のシステムの第１性能・仕様情報を取得するステップと、前記流体処理システムのうちの前記第１のシステムの前記第１性能・仕様情報を示す第３信号を転送するステップとを含む。
【０００９】
本発明の態様は、前記流体処理システムのうちの第２のシステムを選択するために前記流体処理情報を処理するステップと、前記流体処理システムのうちの前記第２のシステムの第２性能・仕様情報を取得するステップとを含み、前記第３信号は前記流体処理システムのうちの前記第２のシステムの前記第２性能・仕様情報を示す。
【００１０】
本発明の態様は、前記第３信号が、前記第１性能・仕様情報と前記第２性能・仕様情報とを並べた表示を指示して、前記流体処理システムのうちの前記第１のシステムと前記流体処理システムのうちの前記第２のシステムとの間の性能比較を提供するように構成されることを含む。
【００１１】
本発明の態様は、前記流体処理システムのうちの前記第１のシステムを構成するユーザ要求を示す第４信号を受け取るステップと、前記ユーザ要求を処理し、それに応答して、前記流体処理システムのうちの前記第１のシステムの構成パラメータ・オプションを示す第５信号を転送するステップと、前記流体処理システムのうちの前記第１のシステムの構成パラメータ選択を示す第６信号を受け取るステップとを含む。
【００１２】
本発明の態様は、前記構成パラメータ選択を処理して、前記流体測定システムのうちの前記第１のシステムの前記構成パラメータ選択のうちの互換性のないものを決定するステップと、前記流体測定システムのうちの前記第１のシステムの前記構成パラメータ選択のうちの前記互換性のないものを示す第７信号を転送するステップとを含む。
【００１３】
本発明の態様は、前記構成パラメータ・オプションが、産業界の認可及び処理接続を含むことを含む。
本発明の態様は、前記構成パラメータ・オプションがタグ・ラベル、測定変数及び測定変数の測定単位を含むことを含む。
【００１４】
本発明の態様は、前記流体処理情報が流体、流量、圧力及び温度のデータを示すことを含む。
本発明の態様は、前記第３信号が、前記第１性能・仕様情報と流体、流量、圧力及び温度の前記データとを並べた表示を指示して、前記流体処理システムのうちの前記第１のシステムと、流体、流量、圧力及び温度の前記データとの間の比較を提供するように構成されることを含む。
【００１５】
本発明の態様は、前記処理システムが、流体、流量、圧力及び温度の前記データに基づいて、前記流体処理システムのうちの前記第１のシステムの互換性等級を決定するように構成され、前記第３信号が前記互換性等級を示すことを含む。
【００１６】
本発明の態様は、前記処理情報が処理流体、最大流量、最大処理圧力及び最高温度を示すことを含む。
本発明の態様は、前記処理情報が測定変数、測定精度及び通信プロトコルを示すことを含む。
【００１７】
本発明の態様は、前記処理情報が第１流体処理構成要素を示し、前記流体処理システムのうちの前記選択されたシステムが前記第１流体処理構成要素及び少なくとも第２流体処理構成要素を含むことを含む。
【００１８】
本発明の態様は、前記第１流体処理構成要素及び前記第２流体処理構成要素がセンサ及び送信機を含むことを含む。
本発明の態様は、前記第１流体処理構成要素及び前記第２流体処理構成要素がアクチュエータ及び弁を含むことを含む。
【００１９】
本発明の態様は、前記第１性能・仕様情報がセンサ型式番号及び送信機型式番号を示すことを含む。
本発明の態様は、前記第１性能・仕様情報が弁型式番号及びアクチュエータ型式番号を示すことを含む。
【００２０】
本発明の態様は、前記第１性能・仕様情報が前記流体処理システムのうちの前記第１のシステムのイメージを示すことを含む。
本発明の態様は、前記選択システムがインターネット・ウェブサイトを含むことを含む。
【００２１】
本発明の態様は、前記選択システムがユーザ・コンピュータ・システムを含むことを含む。
本発明の態様は、流体処理システムを選択する選択システムを含む。前記選択システムはインターフェース及び処理システムを備える。前記インターフェースは、ユーザ・プロンプトを示す第１信号を転送して、前記ユーザ・プロンプトに応答して提供され且つ流体処理情報を示すユーザ入力を示す第２信号を受け取り、前記流体処理システムのうちの前記第１のシステムの前記第１性能・仕様情報を示す前記第３信号を転送するように構成される。前記処理システムは、前記第１信号を転送するように前記インターフェースに指示し、前記流体処理情報を処理して、前記流体処理システムのうちの第１のシステムを選択し、前記流体処理システムの前記第１のシステムの第１性能・仕様情報を取得し、前記インターフェースに指示して第３信号を転送させるように構成される。
【００２２】
本発明の態様は、前記処理システムが、前記流体処理情報を処理して、前記流体処理システムのうちの第２のシステムを選択し、前記流体処理システムのうちの前記第２のシステムの第２性能・仕様情報を取得するように構成され、前記第３信号が前記流体処理システムのうちの前記第２のシステムの前記第２性能・仕様情報を示すことを含む。
【００２３】
本発明の態様は、前記第３信号が、前記第１性能・仕様情報と前記第２性能・仕様情報とを並べた表示を指示して、前記流体処理システムのうちの前記第１のシステムと前記流体処理システムのうちの前記第２のシステムとの間の性能比較を提供するように構成されることを含む。
【００２４】
本発明の態様は、前記インターフェースが、前記流体処理システムのうちの前記第１のシステムを構成するユーザ要求を示す第４信号を受け取り、前記流体処理システムのうちの前記第１のシステムの構成パラメータ・オプションを示す第５信号を転送し、前記流体処理システムのうちの前記第１のシステムの構成パラメータ選択を示す第６信号を受け取るように構成され、前記処理システムが、前記ユーザ要求を処理して、前記第５信号を転送するように前記インターフェースに指示するように構成されることを含む。
【００２５】
本発明の態様は、前記インターフェースが、前記流体測定システムのうちの前記第１のシステムの前記構成パラメータ選択のうちの互換性のないものを示す第７信号を転送するように構成され、前記処理システムが、前記構成パラメータ選択を処理して、前記流体測定システムのうちの前記第１のシステムの前記構成パラメータ選択のうちの前記互換性のないものを決定し、前記インターフェースに指示して前記第７信号を転送させるように構成されることを含む。
【００２６】
本発明の態様は、前記構成パラメータ・オプションが産業界の認可及び処理接続を含むことを含む。
本発明の態様は、前記構成パラメータ・オプションがタグ・ラベル、測定変数及び測定変数の測定単位を含むことを含む。
【００２７】
本発明の態様は、前記流体処理情報が流体、流量、圧力及び温度のデータを示すことを含む。
本発明の態様は、前記第３信号が、前記第１性能・仕様情報と流体流量、圧力及び温度の前記データとを並べた表示を指示して、前記流体処理システムのうちの前記第１のシステムと流体、流量、圧力及び温度の前記データとの間の比較を提供するように構成されることを含む。
【００２８】
本発明の態様は、前記処理システムが、流体、流量、圧力及び温度の前記データに基づいて、前記流体処理システムのうちの前記第１のシステムの互換性等級を決定するように構成され、前記第３信号が前記互換性等級を示すことを含む。
【００２９】
本発明の態様は、前記処理情報が処理流体、最大流量、最大処理圧力及び最高温度を示すことを含む。
本発明の態様は、前記処理情報が測定変数、測定精度及び通信プロトコルを示すことを含む。
【００３０】
本発明の態様は、前記処理情報が第１流体処理構成要素を示し、前記流体処理システムのうちの前記選択されたシステムが前記第１流体処理構成要素及び少なくとも第２流体処理構成要素を含むことを含む。
【００３１】
本発明の態様は、前記第１流体処理構成要素及び前記第２流体処理構成要素がセンサ及び送信機を含むことを含む。
本発明の態様は、前記第１流体処理構成要素及び前記第２流体処理構成要素がアクチュエータ及び弁を含むことを含む。
【００３２】
本発明の態様は、前記第１性能・仕様情報がセンサ型式番号及び送信機型式番号を示すことを含む。
本発明の態様は、前記第１性能・仕様情報が弁型式番号及びアクチュエータ型式番号を示すことを含む。
【００３３】
本発明の態様は、前記第１性能・仕様情報が前記流体処理システムのうちの前記第１のシステムのイメージを示すことを含む。
本発明の態様は、前記インターフェースがウェブサイト・インターネット・インターフェースを含むことを含む。
【００３４】
本発明の態様は、前記インターフェースがコンピュータ・システム・ユーザ・インターフェースを含むことを含む。
本発明の態様は、流体処理システムを選択する製品を含む。該製品は、ソフトウェアと該ソフトウェアを格納する記憶システムとを含む。前記ソフトウェアは、処理システムに指示して、ユーザ・プロンプトを示す第１信号を転送するようにインターフェースに指示し、前記インターフェースに、前記ユーザ・プロンプトに応答して提供され且つ流体処理情報を示すユーザ入力を示す第２信号を受け取らせ、前記処理システムに指示して、前記流体処理システムのうちの第１のシステムを選択するよう前記流体処理情報を処理させ、前記流体処理システムのうちの前記第１のシステムの第１性能・仕様情報を取得させ、前記インターフェースに指示して前記流体処理システムのうちの前記第１のシステムの前記第１性能・仕様情報を示す第３信号を転送させるように構成される。
【００３５】
本発明の態様は、前記ソフトウェアが、前記処理システムに指示して、前記流体処理情報を処理して前記流体処理システムのうちの第２のシステムを選択させて、前記流体処理システムのうちの前記第２のシステムの第２性能・仕様情報を取得させるように構成され、前記第３信号が前記流体処理システムのうちの前記第２のシステムの前記第２性能・仕様情報を示すことを含む。
【００３６】
本発明の態様は、前記第３信号が、前記第１性能・仕様情報と前記第２性能・仕様情報とを並べた表示を指示して、前記流体処理システムのうちの前記第１のシステムと前記流体処理システムのうちの前記第２のシステムとの間の性能比較を提供するように構成されることを含む。
【００３７】
本発明の態様は、前記インターフェースが、前記流体処理システムのうちの前記第１のシステムを構成するためのユーザ要求を示す第４信号を受け取り、前記ソフトウェアが、前記処理システムに指示して前記ユーザ要求を処理させ、前記インターフェースに、前記流体処理システムのうちの前記第１のシステムの構成パラメータ・オプションを示す第５信号を転送するように指示するように構成され、前記インターフェースが前記流体処理システムのうちの前記第１のシステムの構成パラメータ選択を示す第６信号を受け取ることを含む。
【００３８】
本発明の態様は、前記ソフトウェアが、前記処理システムに指示して、前記流体測定システムのうちの前記第１のシステムの前記構成パラメータ選択のうちの互換性のないものを決定するために前記構成パラメータ選択を処理させ、前記インターフェースに指示して、前記流体測定システムのうちの前記第１のシステムの前記構成パラメータ選択のうちの前記互換性のないものを示す第７信号を転送させるように構成されることを含む。
【００３９】
本発明の態様は、前記構成パラメータ・オプションが産業界の認可及び処理接続を含むことを含む。
本発明の態様は、前記構成パラメータ・オプションがタグ・ラベル、測定変数及び測定変数の測定単位を含むことを含む。
【００４０】
本発明の態様は、前記流体処理情報が流体、流量、圧力及び温度のデータを示すことを含む。
本発明の態様は、前記第３信号が、前記第１性能・仕様情報と流体、流量、圧力及び温度の前記データとを並べた表示を指示して、前記流体処理システムのうちの前記第１のシステムと流体、流量、圧力及び温度の前記データとの間の比較を提供するように構成されることを含む。
【００４１】
本発明の態様は、前記ソフトウェアが、前記処理システムに指示して、流体、流量、圧力及び温度の前記データに基づいて、前記流体処理システムのうちの前記第１のシステムの互換性等級を決定させるように構成され、前記第３信号が前記互換性等級を示すことを含む。
【００４２】
本発明の態様は、前記処理情報が処理流体、最大流量、最大処理圧力及び最高温度を示すことを含む。
本発明の態様は、前記処理情報が測定変数、測定精度及び通信プロトコルを示すことを含む。
【００４３】
本発明の態様は、前記処理情報が第１流体処理構成要素を示し、前記流体処理システムのうちの前記選択されたシステムが、前記第１流体処理構成要素及び少なくとも第２流体処理構成要素を含むことを含む。
【００４４】
本発明の態様は、前記第１流体処理構成要素及び前記第２流体処理構成要素がセンサ及び送信機を含むことを含む。
本発明の態様は、前記第１流体処理構成要素及び前記第２流体処理構成要素がアクチュエータ及び弁を含むことを含む。
【００４５】
本発明の態様は、前記第１性能・仕様情報がセンサ型式番号及び送信機型式番号を示すことを含む。
本発明の態様は、前記第１性能・仕様情報が弁型式番号及びアクチュエータ型式番号を示すことを含む。
【００４６】
本発明の態様は、前記第１性能・仕様情報が前記流体処理システムのうちの前記第１のシステムのイメージを示すことを含む。
本発明の態様は、前記インターフェースがウェブサイト・インターネット・インターフェースを含むことを含む。
【００４７】
本発明の態様は、前記インターフェースがコンピュータ・システム・ユーザ・インターフェースを含むことを含む。
発明の詳細な説明
図１から図６及び以下の説明は、本発明の最良の形態を如何に作成し使用するかを当業者に教示するために、特定の例を記述するものである。発明的原理を教示するために、従来の態様の一部は単純化又は省略された。当業者であれば、本発明の範囲に含まれる、これらの例からの変形を理解できるであろう。当業者であれば理解するように、以下で説明する特徴を、本発明の複数の変形を形成するために様々な形で組み合わすことができる。その結果、本発明は、以下で説明される特定の例に制限されるのではなく、請求項及びその同等物によってのみ制限される。
【００４８】
選択システムの構成
図１は、本発明の例での選択システム構成を示している。選択システム１００は、通信インターフェース１０１、処理システム１０２及びユーザ・インターフェース１０３を備える。処理システム１０２は記憶システム１０４を備える。記憶システム１０４はソフトウェア１０５を格納する。処理システム１０２は、通信インターフェース１０１及びユーザ・インターフェース１０３にリンクされる。選択システム１００は、プログラムされた汎用コンピュータからなるものとすることができるが、当業者であれば理解するように、プログラム可能な又は特殊目的の回路及び機器を使用することができる。選択システム１００は、サーバ・システムと要素１０１〜１０５を共に含むクライアント装置との間で動作が分散されるクライアント・サーバ・アーキテクチャを使用することができる。
【００４９】
通信インターフェース１０１は、インターネット・インターフェース、ネットワーク・インターフェース・カード、モデム、通信ポート又は他の通信装置を備えることができる。通信インターフェース１０１は複数の装置間に分散されてもよい。処理システム１０２は、マイクロプロセッサ、論理回路又は他の処理装置を備えることができる。処理システム１０２は複数の装置間に分散されてもよい。ユーザ・インターフェース１０３は、キーボード、マウス、音声認識インターフェース、マイクロホン及びスピーカ、グラフィカル・ディスプレイ、タッチ・スクリーン又は他のタイプのユーザ装置を備えることができる。ユーザ・インターフェース１０３は複数のユーザ装置間に分散されてもよい。記憶システム１０４は、ディスク、テープ、集積回路、サーバ又は他の記憶装置を備えることができる。記憶システム１０４は複数の装置間に分散されてもよい。
【００５０】
処理システム１０２は、記憶システム１０４からソフトウェア１０５を検索して実行する。ソフトウェア１０５は、オペレーティング・システム、ユーティリティ、ドライバ、ネットワーキング・ソフトウェア、及び、通常は汎用コンピュータにロードされる他のソフトウェアを備えることができる。ソフトウェア１０５は、アプリケーション・プログラム、ファームウェア、プログラムされた回路又は他の形の機械可読処理命令を備えることができる。処理システム１０２によって実行される際、ソフトウェア１０５が、本明細書に記載のように動作するように処理システム１０２に指示を与える。
【００５１】
ユーザ入力に応答して、選択システム１００はユーザのために流体処理システムを選択する。いくつかの変形例においては、ユーザは、インターネット又は公衆電話網などの通信ネットワーク上で通信インターフェース１０１を介して選択システム１００にアクセスする。他の変形例では、ユーザは、ユーザ・インターフェース１０３を介して直接に選択システム１００にアクセスする。したがって、選択システム１００は、インターネット上のウェブサイト又はスタンドアロンのシステムとすることができる。以下の説明では、用語「インターフェース」は、インターフェース１０１及びインターフェース１０３を指し、用語「信号」は、インターフェース１０１と通信システムとの間、及びインターフェース１０３とユーザとの間で交換される情報を指す。
【００５２】
選択システムの動作――例１
図２は、本発明の例での選択システム動作を示しており、以下では、図２からの参照数字が括弧内に示される。処理システムが、ユーザ・プロンプトを示す第１信号を転送するようにインターフェースに指示すると、インターフェースは第１信号を転送する。次に、インターフェースは、ユーザ・プロンプトに応答して提供されたユーザ入力を示す第２信号を受け取る（２０１）。図３は、本発明の例でのユーザ・プロンプトの表示３００を示している。ユーザは、ユーザ入力に応答して、チェック・ボックス、ドロップダウン・メニュー、テキスト・ボックス又は他の形のユーザ入力を介して、ユーザ入力を提供することができる。ユーザ入力は、流体、流量、圧力及び温度に関する処理情報を示す。この処理情報によって、実際の処理流体、最大流量、最大処理圧力、最高温度、測定変数、測定精度、通信プロトコル又は問題の流体処理に関する他の情報を示すことができる。
【００５３】
処理システムは、受け取った処理情報を処理して第１流体処理システム及び第２流体処理システムを選択する（２０２）。この例では２つの流体処理システムが例示のために選択されるが、選択システムは単一の流体処理システムを選択することができ、或いは３つ以上の流体処理システムを選択することができる。選択を行うため、処理システムは、適宜の処理情報の潜在的な組のそれぞれを、選択された流体処理システムを構成する特定の流体処理構成要素に相関させるデータベース及びアルゴリズムにアクセスする。こうした相関はユーザ特有のものであってよく、したがって、特定のユーザが、対応する処理情報を提供することによって、予め決定されたシステムを選択することができる。
【００５４】
例えば、下記の処理情報を、ユーザ入力において指定することができる。
製品：流量計
流体名：水
湿らされる材料：３１６Ｌステンレス鋼
質量流量精度：０．１〜０．２
最大圧力損失：０〜５ＰＳＩ
送信機特徴：アナログ
測定変数：流量
単位：ＵＳ及びメートル法。
【００５５】
この処理情報の組合せを、データベース及びアルゴリズムを介して２つの流量計システムと予め関連付けることができる。例えば、第１流量計システムを、センサ構成要素型式番号ＣＭＦ２００及び送信機構成要素型式番号２７００からなるものとすることができ、第２流量計システムを、センサ構成要素型式番号ＣＭＦ１００及び送信機構成要素型式番号２７００からなるものとすることができる。
【００５６】
システム選択の後に、処理システムは、第１流体処理システム及び第２流体処理システムの性能・仕様情報を取得する（２０３）。処理システムは、この性能・仕様情報に基づいて、並びに流体、流量、圧力及び温度に関する受け取った処理情報に基づいて、第１流体処理システム及び第２流体処理システムの互換性等級を決定する（２０４）。互換性等級は、性能・仕様情報が、所与のユーザ入力及び選択された流体処理システムの処理情報と一致する程度を示す。
【００５７】
処理システムがインターフェースに第３信号を転送するように指示すると、インターフェースは第３信号を転送する（２０５）。この第３信号は、第１流体処理システム及び第２流体処理システムの性能・仕様情報と互換性等級を表す。また、性能・仕様情報は、センサ型式番号、送信機型式番号、弁型式番号、アクチュエータ型式番号、流体処理システムのイメージ、最大圧力定格及び最高温度定格、圧力精度、或いは流体処理システムの性能又は仕様に関する他の測定基準を示すことができる。
【００５８】
或るシステムの性能・仕様情報は、個々の構成要素の性能・仕様情報の組合せと異なることがあり得る。例えば、性能の低いセンサによって高性能送信機の精度が低下する場合がある。その結果生じるシステム・レベルの送信機性能は、送信機構成要素について記載される性能より低くなる。したがって、システムに対する性能・仕様情報は、個々の構成要素の性能情報を単に組み合わせる代わりに、構成要素の間の相互作用を考慮する。
【００５９】
第３信号は、第１流体処理システムと第２流体処理システムとの性能・仕様情報を隣り合うように並べた表示を指示するように構成することができる。このタイプの表示によって、第１流体処理システムと第２流体処理システムとの間の便利で有効な性能比較が提供される。第３信号は、性能・仕様情報と受け取った処理情報とを隣り合わせた表示を指示するように構成することもできる。このタイプの表示によって、流体、流量、圧力及び温度に関する、第１及び第２の流体処理システムと受け取られた処理情報との間の便利で有効な性能比較が提供される。図４は、本発明の例における、性能・仕様情報、処理情報並びに互換性等級の比較表示４００を示している。
【００６０】
選択されたシステムがユーザに提示されると、インターフェースは、これらのシステムの１つ、例えば第１流体システムを構成するユーザ要求を示す第４信号を受け取る。処理システムがこのユーザ要求を処理し、第１流体処理システムの構成パラメータ・オプションを示す第５信号を転送するようにインターフェースに指示すると、インターフェースは第５信号を転送する（２０７）。図５は、本発明の例における構成パラメータ・オプションの表示５００を示す。構成パラメータ・オプションは、産業界の認可、処理接続、タグ・ラベル、測定変数、測定変数の測定単位、又は選択された流体処理システムの他の設計パラメータを含むことができる。産業界の認可の例はアンダーライター・ラボラトリ（Underwriter Laboratories；ＵＬ）の認可である。
【００６１】
構成パラメータ・オプションに応答して、インターフェースは、第１流体処理システムの構成パラメータ選択を示す第６信号を受け取る。この構成パラメータ選択は、ユーザによって選択された構成パラメータ・オプションを表す。処理システムは構成パラメータ選択を処理し、互換性があるかどうかを決定する（２０７）。構成パラメータ選択が互換性を欠く場合、処理システムは、非互換構成パラメータ選択を示す第７信号を転送するようにインターフェースに指示し、インターフェースは第７信号を転送する（２０８）。次いで、ユーザは代替の構成パラメータ選択によって互換性のなさを解決する。
【００６２】
上記動作に加えて、選択システムは追加の機能性を提供することもできる。選択システムは、ログイン及びユーザ登録、情報及び文書検索ツール、メッセージ・センタ及びマルチユーザ・フォーラム、注文入力及びショッピング・カート、保証情報及び注文ステータス、見積機能の要求、アクセサリ及び予備部品の情報、並びに、流体処理製品及び供給業者に関係する他の情報を提供することができる。
【００６３】
選択システムの動作――例２
図６は、本発明の他の例における選択システム動作を示し、以下、図６からの参照数字が括弧内に示される。処理システムが、ユーザ・プロンプトを示す第１信号を転送するようにインターフェースに指示すると、インターフェースは第１信号を転送する。ユーザ・プロンプトは流体処理構成要素のリストを含むことができる。インターフェースは、ユーザ・プロンプトに応答して提供されたユーザ入力を表す第２信号を受け取る（６０１）。ユーザ入力は選択された第１流体処理構成要素を示す。処理システムは、第１流体処理構成要素に基づいて１つ又は複数の流体処理システムを選択する（６０２）。選択された流体処理システムは少なくとも１つの第２流体処理構成要素を含んでおり、３つ以上の流体処理構成要素を含むことができる。次いで、処理システムは選択された流体処理システムの性能・仕様情報を取得する（６０３）。処理システムは、選択された流体処理システムの性能・仕様情報を示す第２信号を転送するようにインターフェースに指示し、インターフェースは第２信号を転送する（６０４）。
【００６４】
選択システムは、第１流体処理構成要素に基づいて単一の流体処理システム又は複数の流体処理システムを選択することができる。第１流体処理構成要素はセンサ、送信機、アクチュエータ、弁又は他の流体処理構成要素を含むことができる。選択された流体処理システムは、これらの流体処理構成要素の様々な組合せを含むことができる。この選択を行うために、処理システムは、各潜在的な第１流体処理構成要素を１つ又は複数の流体処理システムと相関させるデータベース及びアルゴリズムにアクセスする。こうした相関はユーザ特有のものとすることができるので、特定のユーザは、システム構成要素のうちの１つだけを選択することによって、予め決定されたシステムを選択することができる。１つ又は複数の流体処理システムが選択されたならば、選択システムは、性能比較表示、システム構成能力、構成要素互換性検証、及び上で例１に関して説明した他の機能性を提供することができる。
【図面の簡単な説明】
【００６５】
【図１】本発明の例における選択システム構成を示す図である。
【図２】本発明の例における選択システム動作を示す図である。
【図３】本発明の例におけるユーザ・プロンプトの表示を示す図である。
【図４】本発明の例における処理情報、性能・仕様情報並びに互換性等級の比較表示を示す図である。
【図５】本発明の例における構成パラメータ・オプションの表示を示す図である。
【図６】本発明の例における選択システム動作を示す図である。
【図１】
2005519398.tif 000003
【図２】
2005519398.tif 000004
【図３】
2005519398.tif 000005
【図４】
2005519398.tif 000006
【図５】
2005519398.tif 000007
【図６】
2005519398.tif 000008
【国際調査報告】
2005519398.tif 000009
2005519398.tif 000010
2005519398.tif 000011